【手続補正書】
【提出日】平成24年5月10日(2012.5.10)
【手続補正１】
【補正対象書類名】明細書
【補正対象項目名】０００８
【補正方法】変更
【補正の内容】
【０００８】
前記課題を解決するために請求項１記載の発明は、撮像手段と、発光手段と、前記撮像手段と前記発光手段とを駆動させ、略同一の撮像画角で、且つ、前記発光手段による発光時及び前記発光手段による発光時以外で複数の画像を取得する画像取得手段と、この画像取得手段によって取得された前記発光時の画像と前記発光時以外の画像との輝度差分を取得する差分取得手段と、この差分取得手段によって取得された輝度差分を透過強度の情報として、前記発光時以外の複数の画像と前記発光時の画像とを合成する合成手段と、を備えたことを特徴とする。
【手続補正２】
【補正対象書類名】明細書
【補正対象項目名】０００９
【補正方法】変更
【補正の内容】
【０００９】
また、請求項２記載の発明は、請求項１記載の発明において、前記画像取得手段が前記発光時以外で取得する複数の画像には、時間的に連続して取得する複数の画像と、前記差分取得手段が輝度差分を取得するために必要とする判定用画像と、が含まれ、前記差分取得手段は、前記発光時の画像と前記判定用画像との輝度差分を取得し、前記合成画像とは、前記時間的に連続して取得された複数の画像と前記発光時のタイミングで取得された画像とが合成されたものであることを特徴とする。
【手続補正３】
【補正対象書類名】明細書
【補正対象項目名】００１０
【補正方法】変更
【補正の内容】
【００１０】
また、請求項３記載の発明は、請求項１又は２記載の発明において、前記差分取得手段によって取得された輝度差分に対し強調処理を与え、コントラストを上げる手段を更に備え、前記合成手段は、上記手段によりコントラストが上げられた輝度差分を透過強度の情報として、前記発光時以外の複数の画像と前記発光時の画像とを合成することを特徴とする。
【手続補正４】
【補正対象書類名】明細書
【補正対象項目名】００１１
【補正方法】変更
【補正の内容】
【００１１】
また、請求項４記載の発明は、請求項１乃至３の何れか記載の発明において、前記差分取得手段によって取得された輝度差分に対し平滑化処理を与える手段を更に備え、前記合成手段は、上記手段により平滑化された輝度差分を透過強度の情報として、前記発光時以外の複数の画像と前記発光時の画像とを合成することを特徴とする。
【手続補正５】
【補正対象書類名】明細書
【補正対象項目名】００１２
【補正方法】変更
【補正の内容】
【００１２】
また、請求項５記載の発明は、撮像手段と発光手段とを駆動させ、略同一の撮像画角で、且つ、前記発光手段の発光時及び前記発光手段の発光時以外で複数の画像を取得する画像取得ステップと、この画像取得ステップにて取得された前記発光時の画像と前記発光時以外の画像との輝度差分を取得する差分取得ステップと、この差分取得ステップにて取得された輝度差分を透過強度の情報として、前記発光時以外の複数の画像と前記発光時の画像とを合成する合成ステップと、を含むことを特徴とする。
【手続補正６】
【補正対象書類名】明細書
【補正対象項目名】００１３
【補正方法】変更
【補正の内容】
【００１３】
また、請求項６記載の発明は、撮像手段と発光手段とを有する撮像装置が備えるコンピュータを、前記撮像手段と前記発光手段とを駆動させ、略同一の撮像画角で、且つ、前記発光手段の発光時及び前記発光手段の発光時以外で複数の画像を取得する画像取得手段、  この画像取得手段によって取得された前記発光時の画像と前記発光時以外の画像との輝度差分を取得する差分取得手段、この差分取得手段によって取得された輝度差分を透過強度の情報として、前記発光時以外の複数の画像と前記発光時の画像とを合成する合成手段、  として機能させることを特徴とする。
【手続補正７】
【補正対象書類名】明細書
【補正対象項目名】００４０
【補正方法】変更
【補正の内容】
【００４０】
そして、最終的にフラッシュ判定マップＭをαマップとして用いて、前述した
（２）１枚のフラッシュ画像Ｐ７のＹＵＶ画像データ
（４）６枚の非フラッシュ画像を合成した１枚の合成画像Ｐ９のＹＵＶ画像データ
を合成する（ステップＢ５）。
【手続補正８】
【補正対象書類名】明細書
【補正対象項目名】００４３
【補正方法】変更
【補正の内容】
【００４３】
しかも前述のように、ステップＢ３で平滑化処理を行うことから、合成による主要被写体と背景との境界線をより自然なものにすることができる。
【手続補正９】
【補正対象書類名】明細書
【補正対象項目名】００４４
【補正方法】変更
【補正の内容】
【００４４】
また、前述のステップＢ４では、マップＭのコントラストを上げる処理を実行したことから、合成処理における被写体ブレの残像（ゴースト）を減少させることもできる。
【手続補正１０】
【補正対象書類名】特許請求の範囲
【補正対象項目名】全文
【補正方法】変更
【補正の内容】
【特許請求の範囲】
【請求項１】
撮像手段と、
発光手段と、
前記撮像手段と前記発光手段とを駆動させ、略同一の撮像画角で、且つ、前記発光手段による発光時及び前記発光手段による発光時以外で複数の画像を取得する画像取得手段と、
この画像取得手段によって取得された前記発光時の画像と前記発光時以外の画像との輝度差分を取得する差分取得手段と、
この差分取得手段によって取得された輝度差分を透過強度の情報として、前記発光時以外の複数の画像と前記発光時の画像とを合成する合成手段と、
を備えたことを特徴とする撮像装置。
【請求項２】
前記画像取得手段が前記発光時以外で取得する複数の画像には、時間的に連続して取得する複数の画像と、前記差分取得手段が輝度差分を取得するために必要とする判定用画像と、が含まれ、
前記差分取得手段は、前記発光時の画像と前記判定用画像との輝度差分を取得し、
前記合成画像とは、前記時間的に連続して取得された複数の画像と前記発光時のタイミングで取得された画像とが合成されたものであることを特徴とする請求項１記載の撮像装置。
【請求項３】
前記差分取得手段によって取得された輝度差分に対し強調処理を与え、コントラストを上げる手段を更に備え、
前記合成手段は、上記手段によりコントラストが上げられた輝度差分を透過強度の情報として、前記発光時以外の複数の画像と前記発光時の画像とを合成することを特徴とする請求項１又は２記載の撮像装置。
【請求項４】
前記差分取得手段によって取得された輝度差分に対し平滑化処理を与える手段を更に備え、
前記合成手段は、上記手段により平滑化された輝度差分を透過強度の情報として、前記発光時以外の複数の画像と前記発光時の画像とを合成することを特徴とする請求項１乃至３の何れか記載の撮像装置。
【請求項５】
撮像手段と発光手段とを駆動させ、略同一の撮像画角で、且つ、前記発光手段の発光時及び前記発光手段の発光時以外で複数の画像を取得する画像取得ステップと、
この画像取得ステップにて取得された前記発光時の画像と前記発光時以外の画像との輝度差分を取得する差分取得ステップと、
この差分取得ステップにて取得された輝度差分を透過強度の情報として、前記発光時以外の複数の画像と前記発光時の画像とを合成する合成ステップと、
を含むことを特徴とする撮像方法。
【請求項６】
撮像手段と発光手段とを有する撮像装置が備えるコンピュータを、
前記撮像手段と前記発光手段とを駆動させ、略同一の撮像画角で、且つ、前記発光手段の発光時及び前記発光手段の発光時以外で複数の画像を取得する画像取得手段、
この画像取得手段によって取得された前記発光時の画像と前記発光時以外の画像との輝度差分を取得する差分取得手段、
この差分取得手段によって取得された輝度差分を透過強度の情報として、前記発光時以外の複数の画像と前記発光時の画像とを合成する合成手段、
として機能させることを特徴とするプログラム。